(57)【要約】【課題】容器同士を連結して振り回しても開封のための小蓋が不用意に開くことがなく、また、容易に小蓋を開封することが可能な連結機能を有するワンタッチ式のキャップを提供すること。【解決手段】中央に開口孔１３を有する天板１４の周縁に上下方向に周壁１５が垂設されて天板から下方は容器本体２の上部を嵌着するキャップ部分１１となり天板から上方は両端に部分的に切り欠き部１６が設けられて容器本体の底部を嵌着する底保持部分１２となるキャップ本体１０と、蓋板２１と蓋板の下部周縁に垂設される環状側壁２２と環状側壁から外方に直線状に延びる延設板２３と延設板の端縁から上方に延び、蓋板を閉じた際切り欠き部に嵌まって周壁と同一面を形成する指かけ壁２４と、からなる開口孔を覆う小蓋本体２０が、ヒンジ３０を介して連結されている。【選択図】図１
2005014951.tif 000002
【特許請求の範囲】
【請求項１】
略中央に内容物取り出し用の開口孔を有する天板の周縁に上下方向に周壁が垂設されて、天板から下方は容器本体の上部を嵌着するキャップ部分となり、天板から上方は両端に部分的に切り欠き部が設けられて容器本体の底部を嵌着する底保持部分となる、キャップ本体と、
蓋板と蓋板の下部周縁に垂設される環状側壁と、環状側壁から外方に向けて直線状に延びる延設板と、延設板の端縁から上方に延び、蓋板を閉じた際に前記切り欠き部に嵌まって周壁と同一面を形成する指かけ壁と、からなる、前記開口孔を覆う小蓋本体が、ヒンジを介在させて連結されていることを特徴とする、連結機能を有するワンタッチ式キャップ。
【請求項２】
前記底保持部分を形成する周壁の上側には、内方に突出する環状突起が形成されていることを特徴とする、請求項１記載の連結機能を有するワンタッチ式キャップ。
【請求項３】
前記ヒンジと対向する位置にある前記指かけ壁の上縁は外方に向けてきっかけ凸部が形成されていることを特徴とする、請求項１又は２記載の連結機能を有するワンタッチ式キャップ。
【請求項４】
前記周壁のキャップ部分の内側には螺子溝が刻設されていることを特徴とする、請求項１、２又は３記載の連結機能を有するワンタッチ式キャップ。
【発明の詳細な説明】
【０００１】
【発明の属する技術分野】
本発明は、内容物が入った容器同士の連結が可能なワンタッチ式のキャップに関するものである。
【０００２】
【従来の技術】
従来の連結機能を有するワンタッチ式キャップ（５０）は、例えば、図７、図８に示すように、略中央に内容物取り出し用の開口孔（５２）を有する頂壁部（５３）と、この頂壁部（５３）から垂下する周壁部（５４）とからなるキャップ本体（５１）と、このキャップ本体の頂壁部を覆うように、ヒンジ（６０）を介在させて連結された、頂壁部（５３）の開口孔（５２）と密接する環状側壁（５６）を下面に形成させた蓋板（５７）とその端縁から立設された蓋周壁部（５８）とから構成された蓋体部（５５）とからなるものであった。
【０００３】
このような構成からなるワンタッチ式キャップ付きの筒状等の容器（２）を複数本連結して棒状にしたものを振り回したりすると、キャップ本体（５１）とキャップ本体にヒンジ（６０）を介して付いている蓋体部（５５）の嵌合部分が外れて、開封状態になり中身（６５）が飛び出してしまうことがある。また、嵌合度合いを強くすると、連結された容器を分解して一つにして、蓋体部（５５）を開けようといても、蓋体部がキャップ本体から開け難くなることがある。
【０００４】
【発明が解決しようとする課題】
本発明は、連結機能を有するワンタッチ式のキャップに関する以上のような問題点を解決するためになされたもので、容器同士を連結して振り回しても開封のための小蓋が不用意に開くことがなく、また、容易に小蓋を開封することが可能な連結機能を有するワンタッチ式のキャップを提供することを課題とする。
【０００５】
【課題を解決するための手段】
本発明の請求項１の発明は、略中央に内容物取り出し用の開口孔を有する天板の周縁に上下方向に周壁が垂設されて、天板から下方は容器本体の上部を嵌着するキャップ部分となり、天板から上方は両端に部分的に切り欠き部が設けられて容器本体の底部を嵌着する底保持部分となる、キャップ本体と、蓋板と蓋板の下部周縁に垂設される環状側壁と、環状側壁から外方に向けて直線状に延びる延設板と、延設板の端縁から上方に延び、蓋板を閉じた際に前記切り欠き部に嵌まって周壁と同一面を形成する指かけ壁と、からなる、前記開口孔を覆う小蓋本体が、ヒンジを介在させて連結されていることを特徴とする、連結機能を有するワンタッチ式キャップである。
【０００６】
このように請求項１記載の発明によれば、略中央に内容物取り出し用の開口孔を有する天板の周縁に上下方向に周壁が垂設されて、天板から下方は容器本体の上部を嵌着するキャップ部分となり、天板から上方は両端に部分的に切り欠き部が設けられて容器本体の底部を嵌着する底保持部分となる、キャップ本体と、蓋板と蓋板の下部周縁に垂設される環状側壁と、環状側壁から外方に向けて直線状に延びる延設板と、延設板の端縁から上方に延び、蓋板を閉じた際に前記切り欠き部に嵌まって周壁と同一面を形成する指かけ壁と、からなる、前記開口孔を覆う小蓋本体が、ヒンジを介在させて連結されているので、キャップ本体を被せた容器本体のキャップ部分の上の底保持部分に別の容器本体の底部を嵌め込むことによって二つの容器本体を連結することができる。同様の操作を繰り返すことにより二つ以上複数本の容器本体を順次連結することが可能になる。
【０００７】
また、小蓋本体は底保持部に嵌め込む込まれた状態になっているので、連結された複数本の容器本体を振り回しても底保持部分が容器本体を保持して、容器本体が折れ曲がることがなく、内容物が飛び出すこともない。
【０００８】
また、請求項２の発明は、請求項１に発明において、前記底保持部分を形成する周壁の上側には、内方に突出する環状突起が形成されていることを特徴とする、連結機能を有するワンタッチ式キャップである。
【０００９】
このように請求項２記載の発明によれば、底保持部分を形成する周壁の上側には、内方に突出する環状突起が形成されているので、容器本体の底部の周壁の環状突起が当たる位置に環状凹部を形成させておくことにより、容器本体はキャップ本体の容器保持部分にきっちりと嵌め込まれる形になって、連結した複数本の容器本体を振り回すなどしても容易に容器本体がキャップ本体から外れることはない。
【００１０】
また、請求項３の発明は、請求項１又は２の発明において、前記ヒンジと対向する位置にある前記指かけ壁の上縁は外方に向けてきっかけ凸部が形成されていることを特徴とする、連結機能を有するワンタッチ式キャップである。
【００１１】
このように請求項３記載の発明によれば、ヒンジと対向する位置にある指かけ壁の上縁は外方に向けてきっかけ凸部が形成されているので、きっかけ凸部に指等をかけることにより容易に小蓋本体を底保持部分から離して開口孔を露出させることができる。
【００１２】
また、請求項４の発明は、請求項１、２又は３の発明において、前記周壁のキャップ部分の内側には螺子溝が刻設されていることを特徴とする、連結機能を有するワンタッチ式キャップである。
【００１３】
このように請求項４記載の発明によれば、周壁のキャップ部分の内側には螺子溝が刻設されているので、容器本体の注ぎ出し部の周壁の外側に凸状螺子等を設けておくことにより、キャップ本体を容器本体に螺着させることが可能になり容器本体にキャップ本体をよりしっかり固定させることができる。
【００１４】
【発明の実施の形態】
本発明の連結機能を有するワンタッチ式キャップを一実施形態に基づいて以下に詳細に説明する。
図１は本発明による連結機能を有するワンタッチ式キャップの一実施例を示す、斜視説明図であり、図２は図１のＡ−Ａ’線断面説明図であり、図３は図１のＢ−Ｂ’線断面説明図である。
【００１５】
図１、図２、図３において、（１）は連結機能を有するワンタッチ式キャップ、（１０）はキャップ本体、（２０）は小蓋本体、（３０）はキャップ本体と小蓋を連結しているヒンジで、いずれもポリプロピレン樹脂等の合成樹脂素材で製造されている。
【００１６】
キャップ本体（１０）は、容器本体の上部を嵌着するキャップ部分（１１）と容器本体の底部を嵌着する底保持部分（１２）からなる。
【００１７】
キャップ部分（１１）は、略中央に内容物取り出し用の開口孔（１３）を有する天板（１４）の周縁に上下方向に周壁（１５）が垂設されてなり、天板（１４）から下部分を称する。
天板（１４）から上部分は周壁（１５）の両端縁に部分的に切り欠き部（１６）が設けられて底保持部分（１２）を形成している。
【００１８】
開口孔（１３）が穿設されている天板（１４）の周縁に下方に向けて環状周壁（図示せず）を設けても良い。環状周壁を設けることにより、キャップ本体を容器本体に嵌着等させる際、より強固に固定させることができる。
【００１９】
キャップ部分の周壁（１５）の内側に、螺子溝（１７）を刻設することにより、容器本体（２）の注ぎ出し部分（５）の周壁の外側に凸状螺子（３）等を設けておけば、キャップ本体を容器本体に螺着させることが可能になり、容器本体にキャップ本体をよりしっかりと固定させることができる。
【００２０】
キャップ部分の周壁（１５）の内側には螺子溝（１７）の代わりの環状突起（図示せず）を形成させても良い。この場合には、容器本体の注ぎ出し部分の周壁の外側に環状突起を設けておき、キャップを容器本体に嵌め込むことにより容器本体にキャップ本体をしっかり固定させることができる。
【００２１】
また、底保持部分（１２）の周壁（１５）の上端縁近傍に、内方に突出する環状突起（１８）を形成させることにより、容器本体（２）の底部の周壁の環状突起が当たる位置に環状凹部（４）を形成させとおくことにより、容器本体はキャップ本体の底保持部分（１２）にきっちりと嵌め込むことができる。
【００２２】
小蓋本体（２０）は、蓋板（２１）と蓋板の下部周縁に垂設される環状側壁（２２）と、環状側壁から外方に向けて直線状に延びる延設板（２３）と、延設板の端縁から上方に延び、蓋板を閉じた際に前記切り欠き部（１６）に嵌まって周壁（１５）と同一面を形成する指かけ壁（２４）と、からなる。
【００２３】
そして、環状側壁（２２）は小蓋本体を閉じた際、キャップ本体（１０）の開口孔（１３）に密接して蓋板（２１）が開口孔を封止す構造を有している。
【００２４】
また、ヒンジ（３０）と対向する位置にある指かけ壁（２４）の上縁は外方に向けてきっかけ凸部（２５）が形成されている。
きっかけ凸部（２５）が形成されていることにより、きっかけ凸部（２５）を持って、引き上げるようにすると、小蓋本体（２０）はヒンジ（３０）を支点にして容易に開封することができる。
【００２５】
このような構造からなる連結機能を有するワンタッチ式キャップ（１）を、容器本体（２）口元部に嵌着したり螺着したりなどして容器本体にキャップを被せて封止する。
同時に同じ口径（同じ形状）の別の容器本体を底部から前記ワンタッチ式キャップ（１）の底保持部分（１２）に嵌め込むことにより、２つの容器本体を連結することができる。
同様にして複数本の容器本体を棒状に連結することができる（図６参照）。
【００２６】
このように底保持部分の大部分は嵌め込んだ容器本体の底部をしっかりと固定しているので、たとえ、複数本の容器本体を棒状に連結した状態で振り回すなどして小蓋本体をキャップ本体から外そうとする力が働いても、連結した複数本の容器本体が外れたり、小蓋本体がキャップ部分から外れて折れ曲がり、内容物が外に飛び出したりすることはない。
【００２７】
【発明の効果】
上記のように本発明の連結機能を有するワンタッチ式キャップは、子供などが容器同士を連結して遊べる菓子容器などにした場合、振り回して遊んでも不用意に容器の蓋が開くことがなく、中身の飛び出しを防ぐことができる。
かつ、また、蓋を開ける場合、蓋体の指をかける部分が天地方向に広く、子供や力の弱い人でも容器を容易に開封することができる。
【図面の簡単な説明】
【図１】本発明の連結機能を有するワンタッチ式キャップの一実施例を示す、斜視説明図である。
【図２】図１のＡ−Ａ’線断面説明図である。
【図３】図１のＢ−Ｂ’線断面説明図である。
【図４】本発明の連結機能を有するワンタッチ式キャップを容器本体に装着した状態に一実施例を示す、部分断面説明図である。
【図５】容器本体を連結した状態の一実施例を示す、要部断面説明図である。
【図６】複数本の容器本体を連結した状態に一実施例を示す、平面説明図である。
【図７】従来の連結機能を有するワンタッチ式キャップで容器本体を連結した状態の一例を示す、要部断面説明図である。
【図８】従来の連結機能を有するワンタッチ式キャップを使用して連結した容器本体が折れ曲がった状態の一例を示す、要部断面説明図である。
【符号の説明】
１‥‥連結機能を有するワンタッチ式キャップ
２‥‥容器本体
３‥‥凸状螺子
４‥‥環状凹部
５‥‥注ぎ出し部分
１０‥‥キャップ本体
１１‥‥キャップ部分
１２‥‥底保持部分
１３‥‥開口孔
１４‥‥天板
１５‥‥周壁
１６‥‥切り欠き部
１７‥‥螺子溝
１８‥‥環状突起
２０‥‥小蓋本体
２１‥‥蓋板
２２‥‥線状側壁
２３‥‥延設板
２４‥‥指かけ壁
２５‥‥きっかけ凸部
３０‥‥ヒンジ
５０‥‥ワンタッチ式キャップ
５１‥‥キャップ本体
５２‥‥開口孔
５３‥‥頂壁部
５４‥‥周壁部
５５‥‥蓋体部
５６‥‥環状側壁
５７‥‥蓋板
５８‥‥蓋周壁部
６０‥‥ヒンジ
６５‥‥中身
【図１】
2005014951.tif 000003
【図２】
2005014951.tif 000004
【図３】
2005014951.tif 000005
【図４】
2005014951.tif 000006
【図５】
2005014951.tif 000007
【図６】
2005014951.tif 000008
【図７】
2005014951.tif 000009
【図８】
2005014951.tif 000010